(57)【要約】【課題】  外気温が低下する屋外用の電飾看板に有用な冷陰極ランプの装着構造を実現する。【解決手段】  冷陰極ランプ２を筒状のランプカバー８内に収容すると共に、ランプの電極線に接続したランプピン７をランプカバーの両端のエンド部材３、３から突設したランプ体１と、ランプピンが挿入された状態でランプ体のエンド部材に当接される一対のソケット１０、１０と、上記ランプ体のソケットの胴部を嵌入可能な複数個のホルダー部材３０からなり、被装着側装置Ａに予め取り付けた上記ホルダー部材でランプカバーのソケットの胴部を抱持・固定する。【選択図】      図１
0003180785.tif 000002
【実用新案登録請求の範囲】
【請求項１】
冷陰極ランプを筒状のランプカバー内に収容すると共に、ランプの電極線に接続したランプピンをランプカバーの両端のエンド部材から突設したランプ体と、ランプピンが挿通された状態でランプ体のエンド部材に当接される一対のソケットと、上記ソケットの胴部を嵌入可能な複数個のホルダー部材からなり、被装着側装置に予め取り付けた上記ホルダー部材でソケットの胴部を抱持・固定することを特徴とする冷陰極ランプの装着構造。
【請求項２】
冷陰極ランプを筒状のランプカバー内に収容すると共に、ランプの電極線に接続したランプピンをランプカバーの両端のエンド部材から突設したランプ体と、ランプピンが挿通された状態でランプ体のエンド部材に当接される一対のソケットと、上記ランプ体のランプカバーの胴部及びソケットの胴部を嵌入可能な複数個のホルダー部材からなり、被装着側装置に予め取り付けた上記ホルダー部材でランプカバーの胴部及びソケットの胴部を抱持・固定することを特徴とする請求項１記載の冷陰極ランプの装着構造。
【請求項３】
ランプ体の端部とソケットの端部に筒状の防水パッキンを外嵌した請求項１から３のいずれかに記載の冷陰極ランプの装着構造。
【請求項４】
被装着側装置は屋外用の電飾看板である請求項１から４のいずれかに記載の冷陰極ランプの装着構造。
【考案の詳細な説明】
【技術分野】
【０００１】
この考案は冷陰極ランプの装着構造に関し、特に屋外用の電飾看板に有用な装着構造に関する。
【背景技術】
【０００２】
透過性を有する筐体内に光源を配した電飾看板において、光源として冷陰極ランプが用いられている（特許文献１）。一般的に冷陰極ランプの被装着側装置への装着は、ランプの両端の電極線を電源側の導体に半田付けすることによって行っている（特許文献２）。
【先行技術文献】
【特許文献】
【０００３】
【特許文献１】特開２００２−２０２７３８号公報
【特許文献２】特開２００２−３２４５９２号公報
【特許文献３】特開平１０−１８９２５９号公報
【特許文献４】特開２０００−３１３２７９号公報
【考案の概要】
【考案が解決しようとする課題】
【０００４】
ところで、例えば液晶ディスプレーのように、工場や作業場で装着、交換される光源に冷陰極ランプを使用する場合は前記の装着構造で何らの不都合は生じないが、現場での施行や交換作業が多い屋外用の電飾看板の光源として冷陰極ランプを使用する場合はこのような装着構造では不都合が生じる。すなわち、半田付けを介することによりランプをワンタッチで装着、交換することができず、現場での作業効率を著しく損なう。また、冷陰極ランプは直径が１ｃｍにも満たないガラス管からなるものが多く、長尺のものの場合には装着、交換作業にあたって折損しないように十分な注意を払わないとならず、やはり現場での作業効率を著しく損なった。
【０００５】
一方、冷陰極ランプは屋外で使用する電飾看板のように低温では輝度や寿命が減少する特性を有する。すなわち、ランプの周囲温度が１０℃以下になると、寿命が極端に短かくなり（約２０分の１）、また放電が不安定となりチラツキが止まらない場合がある。その原因として、(1) 短寿命については連続的に低温雰囲気で点灯すると、ランプ内に封入されたＨｇ（約２．０〜３．０ｍｇ）の酸化が徐々に進み、Ｈｇ本来の特性が得られなくなりランプ輝度が１０％以下（希ガス放電）に低下すること、(2) チラツキについては、低温雰囲気下ではランプの管壁温度が自己発熱で上昇しないため、封入したＨｇの蒸気圧も上昇せず放電が不安定になることが挙げられる。この場合、冷陰極ランプの低温下での性能低下を防止するために低温時動作保証回路を付加する考案（特許文献３）や、ヒーターを用いる考案（特許文献４）が提案されているが、構造が複雑となり、コストも嵩む問題があった。
【課題を解決するための手段】
【０００６】
この考案の装着構造は、以上の問題点を解決するために創作されたものであり、冷陰極ランプを筒状のランプカバー内に収容すると共に、ランプの電極線に接続したランプピンをランプカバーの両端のエンド部材から突設したランプ体と、ランプピンが挿通された状態でランプ体のエンド部材に当接される一対のソケットと、上記ソケットの胴部を嵌入可能な複数個のホルダー部材からなり、被装着側装置に予め取り付けた上記ホルダー部材でソケットの胴部を抱持・固定することを特徴とする。
【０００７】
また、ここでは第２考案として前記の第１考案において、ホルダー部材でソケットの胴部の他にランプカバーの胴部も抱持・固定する考案も開示する。
【０００８】
また、第３考案として前記の第１考案または第２考案において、冷陰極ランプを封入したランプカバー内の空気を熱媒体として、冷陰極ランプからの部分的な発熱を熱媒体によりランプ全体に行き渡らせることを可能な程度に、ランプ外径に対するランプカバー内径の寸法を設定した考案も開示する。
【考案の効果】
【０００９】
よって、この考案によれば冷陰極ランプは筒状のランプカバー内に収容されたランプ体として、両端のランプピンを一対のソケットに挿入して装着するので、接続に半田付けを要さず作業性が向上する。そして、この場合、予め被装着側装置に固定されているソケットに冷陰極ランプを挿入するのでなく、被装着側装置に対して遊んでいるソケットにランプを挿入した後に、これらを被装着側装置に予め取り付けたホルダー部材に嵌入して抱持・固定を行うので、作業性が良く、例えば装着箇所が看板の中の奥にあって手が届きにくい場合でも容易に交換を実現することができる。
【００１０】
また、この場合、冷陰極ランプは筒状のランプカバー内に収容されているので衝撃や曲げ方向の応力に対して強靱となり、長尺のものでも万が一の折損などのおそれがなくなる。さらに、ホルダー部材でソケットの胴部の他にランプカバーの胴部も抱持・固定する第２考案によれば固定箇所が分散されることにより応力が分散され、長尺の冷陰極ランプでも安心して固定することが可能となる。
【００１１】
一方、第３考案によれば、冷陰極ランプを封入したランプカバー内の空気を熱媒体として、冷陰極ランプからの部分的な発熱を熱媒体によりランプ全体に行き渡らせることにより冷陰極ランプの表面温度が隅々まで高まるので、外気温が低下した場合でも冷陰極ランプの表面温度はそれと同じようには低下せず、性能低下を防止することが可能となる。
【図面の簡単な説明】
【００１２】
【図１】この考案の装着構造の分解斜視図。
【図２】同上、装着完了時の斜視図。
【図３】同上、防水パッキンを設ける前のランプ体とソケットの一部切り欠き側面図。
【図４】同上、ランプ体とソケットの一部切り欠き側面図。
【図５】同上、装着完了時の要部の側面図。
【図６】同上、装着完了時の要部の断面図。
【考案を実施するための形態】
【００１３】
以下、この考案の具体的実施例を添付図面に基づいて説明する。図１はこの考案の装着構造の分解斜視図、同じく図２は装着完了時の斜視図であり、ここでは被装着装置として屋外用の電飾看板を想定している。図中符号１は冷陰極ランプ２をランプカバー８に封入したランプ体である（図３参照）。このランプ体１は、支持リング５を介して保持穴４内に冷陰極ランプ２の端部を支持しながら樹脂製のエンド部材３、３をランプカバー８の両端に嵌入されることにより組み立てられる。上記エンド部材３、３にはランプの電極線６に接続されたランプピン７、７が突設される。
【００１４】
ランプ体１のランプカバー８はガラスまたは樹脂からなる円筒形のものであり、内部に冷陰極ランプ２を封入するに際してはその内周壁とランプ外周壁との間に隙間Ｓが設けられる（図６参照）。上記の隙間Ｓはランプカバーとランプ外周壁との間に空気を確保するためのものである。この空気は熱媒体として作用し、冷陰極ランプからの部分的な発熱をランプ全体に行き渡らせ、冷陰極ランプの表面温度を隅々まで高めるためのものである。よって、隙間Ｓが狭くて空気の量が少なすぎても、逆に隙間Ｓが広くて空気の量が大すぎても熱媒体として機能しないので、熱媒体として機能するようにランプ外径に対するランプカバー内径の寸法を設定しなければならない。この実施例においては外径３．０〜４．５ｍｍ、全長３００〜１５００ｍｍ、ランプ電流１１．０〜１４．０ｍＡの冷陰極ランプに対し、管径１０〜１３ｍｍ（肉厚０．７〜１．０ｍｍ）のポリカーボネートまたはソーダガラス製のランプカバーを用いることにより前記作用を実現している。
【００１５】
図中符号１０はランプ体１のランプピン７、７を挿入した状態でエンド部材３、３に当接することによりランプ体１を両端から挟持する一対のソケットである。このソケット１０はランプピン７が接触すべき金属製のコンタクト片１２を収容した筒状の本体１１の前方にランプピン挿通穴１６を有するソケットカバー１４を係入し、後方にコンタクト片に接続される口出線１５を引き出すための口出線パッキン１３を圧入した構成よりなり、外周には後記するホルダー部材３０に対する軸線方向の移動を規制する鍔状のストッパー突起１７が突設される。
【００１６】
この実施例においては、ランプ体１及びソケット１０を防水構造とすることを企図しており、そのための筒状の防水パッキン２０がランプ体１の端部とソケット１０の端部を跨いで外嵌される（図４参照）。
【００１７】
以上のランプ体１及びソケット１０はホルダー部材３０を介して被装着側装置Ａに固定される（図５及び６参照）。図示した被装着側装置Ａは電飾看板の光源取り付け部である。弾性素材により構成されるこのホルダー部材３０はＣ字状の抱持アーム３１が下方に設けられると共に、被装着側装置Ａに設けた取り付け穴Ａ１に係止固定するための係止突起３２が上方に設けられる。上記の抱持アーム３１はランプ体のランプカバー８の胴部及びソケット１０の胴部を嵌入可能な形状を有し、圧入による弾性変形によりこれらが嵌入される。また、変形代として中央にスリットを設ける係止突起３２は、圧入による弾性変形により被装着側装置Ａの取り付け穴Ａ１を通過する。
【００１８】
以上の構成からなるこの考案の装着構造によれば、先ず、ランプ体１の両端をソケット１０、１０により挟持した後、これらを被装着側装置に予め取り付けたホルダー部材３０に嵌入して抱持・固定を行う。この場合、冷陰極ランプが長尺の場合は両端のソケット１０、１０の他に、ランプ体１の中途箇所もホルダー部材３０により抱持・固定するが、冷陰極ランプが比較的短い場合は中途箇所のホルダー部材はなくてもよい。
【符号の説明】
【００１９】
Ａ        被装着側装置
１        ランプ体
２        冷陰極ランプ
３        エンド部材
７        ランプピン
８        ランプカバー
１０      ソケット
３０      ホルダー部材
【図１】
0003180785.tif 000003
【図２】
0003180785.tif 000004
【図３】
0003180785.tif 000005
【図４】
0003180785.tif 000006
【図５】
0003180785.tif 000007
【図６】
0003180785.tif 000008